(57)【要約】【課題】  被読取物を移動させつつ走査することでプレスキャン画像及び本スキャン画像を画像読取装置にて取り込んでプレスキャン及び本スキャンし、プレスキャン画像の位置を基準に、本スキャン画像の取り込みタイミングが決定される画像処理方法並びに画像処理装置及び写真処理装置であって、プレスキャン画像と本スキャン画像とで画像位置を精度よく一致させることができる画像処理方法並びに画像処理装置及び写真処理装置を提供する。【解決手段】  人の顔画像を含む画像を有する被読取物Ｆについて、プレスキャン画像及び本スキャン画像をそれぞれ取り込み、当該取り込んだプレスキャン画像及び本スキャン画像においてそれぞれ対応する顔画像の位置を検出し、当該検出された位置情報に基づいて、プレスキャン画像と本スキャン画像との画像位置のずれ調整量を算出し、当該算出されたずれ調整量をスキャン位置補正量として自動的に設定する画像処理方法並びに画像処理装置１及び写真処理装置Ａ。【選択図】  図４
2005217605.tif 000002
【特許請求の範囲】
【請求項１】
画像を有する被読取物における該画像の情報を画像データとして読み取る画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理方法であって、
前記被読取物として少なくとも一つの所定の特定パターン画像を含む画像を有するものを用い、当該被読取物について、前記プレスキャン及び前記本スキャンによって前記プレスキャン画像及び前記本スキャン画像をそれぞれ取り込み、当該取り込んだ前記プレスキャン画像及び前記本スキャン画像においてそれぞれ対応する前記少なくとも一つの特定パターン画像の位置を検出し、当該検出された位置情報に基づいて、前記プレスキャン画像と前記本スキャン画像との画像位置のずれ調整量を求め、当該求められた前記ずれ調整量をスキャン位置補正量として自動的に設定することを特徴とする画像処理方法。
【請求項２】
前記特定パターン画像は人の顔画像であり、前記特定パターン画像の位置検出として、前記プレスキャン画像及び前記本スキャン画像においてそれぞれ対応する前記人の顔画像の位置検出を行う請求項１記載の画像処理方法。
【請求項３】
画像を有する被読取物における該画像の情報を画像データとして読み取る画像読取装置を備え、前記画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理装置であって、
少なくとも一つの所定の特定パターン画像を含む画像を有する前記被読取物について、前記プレスキャン及び前記本スキャンによって前記プレスキャン画像及び前記本スキャン画像をそれぞれ取り込む特定パターン画像取り込み手段と、
前記特定パターン画像取り込み手段にて取り込んだ前記プレスキャン画像及び前記本スキャン画像においてそれぞれ対応する前記少なくとも一つの特定パターン画像の位置を検出する特定パターン画像位置検出手段と、
前記特定パターン画像位置検出手段にて検出された位置情報に基づいて、前記プレスキャン画像と前記本スキャン画像との画像位置のずれ調整量を算出するずれ調整量算出手段と、
前記ずれ調整量算出手段にて算出された前記ずれ調整量をスキャン位置補正量として自動的に設定するずれ調整量設定手段と
を備えていることを特徴とする画像処理装置。
【請求項４】
前記特定パターン画像は人の顔画像であり、前記特定パターン画像位置検出手段は、前記特定パターン画像取り込み手段にて取り込んだ前記プレスキャン画像及び前記本スキャン画像においてそれぞれ対応する前記人の顔画像の位置検出を行う顔検出手段を含む請求項３記載の画像処理装置。
【請求項５】
前記ずれ調整量設定手段では、前記ずれ調整量算出手段にて算出された前記少なくとも一つのずれ調整量から求められる一つのずれ調整量を前記スキャン位置補正量として自動的に設定する請求項３又は４記載の画像処理装置。
【請求項６】
前記プレスキャンでは、前記画像読取装置及び当該被読取物のうち少なくとも一方を相対的に移動させつつ走査するとともに該移動方向に略直交する方向に走査することで所定多数の画素データを有する低解像度の前記第１画像データから構成されるプレスキャン画像を前記画像読取装置にて取り込み、
前記本スキャンでは、前記画像読取装置及び当該被読取物のうち少なくとも一方を相対的に移動させつつ走査するとともに該移動方向に略直交する方向に走査することで前記低解像度第１画像データの数より多い数の画素データを有する高解像度の前記第２画像データから構成される本スキャン画像を前記画像読取装置にて取り込み、
前記特定パターン画像位置検出手段では、前記プレスキャン画像を拡大する拡大処理及び前記本スキャン画像を縮小する縮小処理のうち少なくとも一方の処理を行うことで、前記プレスキャン画像と前記本スキャン画像とのサイズを揃え、当該サイズが揃えられた前記プレスキャン画像及び前記本スキャン画像においてそれぞれ対応する前記少なくとも一つの特定パターン画像の位置を検出し、
前記ずれ調整量算出手段では、前記特定パターン画像位置検出手段にて検出された前記プレスキャン画像及び前記本スキャン画像においてそれぞれ対応する前記少なくとも一つの特定パターン画像の位置の差を算出し、
前記ずれ調整量設定手段では、前記特定パターン画像が一つのときは、前記ずれ調整量算出手段にて算出された前記特定パターン画像の位置の差を前記スキャン位置補正量として自動的に設定し、前記特定パターン画像が２以上のときは、前記ずれ調整量算出手段にて算出された前記特定パターン画像の位置の差データの分布の重心位置となる平均値を前記スキャン位置補正量として自動的に設定する請求項５記載の画像処理装置。
【請求項７】
請求項３から６のいずれかに記載の画像処理装置と、前記プレスキャン取り込み画像を表示する画像表示装置と、前記本スキャン取り込み画像を形成する画像形成装置とを具備することを特徴とする写真処理装置。
【発明の詳細な説明】
【技術分野】
【０００１】
本発明は、デジタル画像データを処理する画像処理方法並びに画像処理装置及び当該画像処理装置等を備えた写真処理装置に関する。
【背景技術】
【０００２】
従来の画像処理方法及び装置では、例えば、スキャナー等の画像読取装置にて銀塩カメラ等で撮影した写真フィルム（例えば、カラーネガフィルムやカラーポジフィルム）などの写真感光材料等の、画像を有する被読取物における画像の情報をデジタル画像データとして読み取り、当該読み取った画像情報を処理する場合において、画像読取装置で被読取物の画像情報を、所定の第１画像データ（例えば、所定多数の画素データを有する低解像度画像データ）から構成されるプレスキャン画像として取り込むとともに、所定の第２画像データ（例えば、前記低解像度画像データの数より多い数の画素データを有する高解像度画像データ）から構成される本スキャン画像として取り込むことで、プレスキャン画像及び本スキャン画像を得ることがある。
【０００３】
このような画像処理装置を備えた写真処理装置においては、当該得られた画像データのうち、プレスキャン画像は、主としてオペレータによる各種画像処理操作のための画像（以下、プレジャッジ画像ということがある。）としてモニタ等の画像を表示する画像表示装置に表示されることで当該プレジャッジ画像において画像判定され、例えば、濃度・色・コントラスト等の画像補正量の設定のために利用される一方、本スキャン画像は、当該プレスキャン画像のプレジャッジ画像データ、例えば、濃度・色・コントラスト等の画像補正量に基づいて画像処理され、主としてプリンタ等の画像を形成する画像形成装置にて出力される出力画像として利用されたり、保存用メディア等の記録媒体に情報を記録する情報記録装置に記録される記録情報として利用されたりする。
【０００４】
被読取物の画像情報は、前記のようにして画像データとして取り込まれ利用されるのであるが、被読取物の画像情報を画像データとして取り込むにあたっては、例えば、画像読取装置及び被読取物のうち少なくとも一方を所定の第１移動速度で相対的に移動させつつ走査（副走査）するとともに当該移動方向に略直交する方向に走査（主走査）することで低解像度画像データから構成されるプレスキャン画像を画像読取装置にて取り込んでプレスキャンし、画像読取装置及び被読取物のうち少なくとも一方を第１移動速度より遅い所定の第２移動速度で相対的に移動させつつ走査（副走査）するとともに当該移動方向に略直交する方向に走査（主走査）することで高解像度画像データから構成される本スキャン画像を画像読取装置にて取り込んで本スキャンすることがある。
【０００５】
この被読取物における画像情報の取り込みとしては、例えば、プレスキャン時に、一旦、画像読取装置に対し被読取物を所定の位置から所定の第１移動方向に所定の第１移動速度で移動させてプレスキャン画像を取り込んでから、該移動方向とは逆方向の第２移動方向に移動させて、被読取物を元の所定位置に戻し、当該元の所定位置から第１移動速度より遅い所定の第２移動速度で第１移動方向に本スキャンを行って本スキャン画像を取り込む場合や、プレスキャン時に、一旦、画像読取装置に対し被読取物を所定の位置から所定の第１移動方向に所定の第１移動速度で移動させてプレスキャン画像を取り込んでから、該移動方向とは逆方向の第２移動方向に第１移動速度より遅い所定の第２移動速度で移動させつつ本スキャンを行って本スキャン画像を取り込む場合を挙げることができる。
【０００６】
このようなプレスキャン及び本スキャンを行う場合には、本スキャン時における本スキャン画像の取り込みタイミングは、プレスキャン時におけるプレスキャン画像の位置を基準に、例えば、以下のように設定している。すなわち、
【０００７】
先ず、プレスキャン時に、被読取物の画像位置、さらに具体的に例示すれば、写真フィルムのコマ画像間における非画像部分（いわゆる、す抜け部分）と画像部分の境界では画素データの値に差が大きいことを利用して、写真フィルムのプレスキャン画像でのコマ画像間の境界位置を検出するとともに、写真フィルムの先端及び／又は写真フィルムの相対移動方向とは直交する方向の端部において相対移動方向に沿って所定のピッチで形成されたパーフォレーションを位置検出センサにて検出し、当該画像取り込みの際に検出された写真フィルムのプレスキャン画像でのコマ画像間の境界と、当該位置検出センサにて検出された写真フィルムの先端及び／又はパーフォレーションとの相対位置関係を求めておき、次いで、本スキャン時に、位置検出センサにてプレスキャン時にも検出した先端及び／又はパーフォレーションを検出し、当該検出された先端及び／又はパーフォレーションの検出位置を基準として、プレスキャン時に求めておいた写真フィルムのプレスキャン画像でのコマ画像間の境界と先端及び／又はパーフォレーションとの相対位置関係から本スキャン時の本スキャン画像の取り込み開始位置及び終了位置を設定している。
【発明の開示】
【発明が解決しようとする課題】
【０００８】
しかしながら、前記のような画像処理装置おいては、プレスキャン及び本スキャンの処理は機械的処理であるので、プレスキャンと本スキャンとでスキャンの速度等が異なると、電気的処理に比べれば再現性が得られ難く、位置検出センサでの位置検出がずれてしまうことがある。例えば、図６に示すように、プレスキャンによって取り込んだプレスキャン画像と本スキャンによって取り込んだ本スキャン画像とでは、被読取物の画像位置が、当該移動方向Ｙにおいて、ずれて入力される可能性がある。なお、図中破線で描かれた顔の位置は、プレスキャン画像での顔位置であり、図中実線で描かれた顔の位置は、本スキャン画像での顔位置である。特に、プレスキャン時に、一旦、画像読取装置に対し被読取物を第１移動方向に第１移動速度で移動させてプレスキャン画像を取り込んでから、該移動方向とは逆方向の第２移動方向に第１移動速度より遅い第２移動速度で移動させつつ本スキャンを行って本スキャン画像を取り込む場合には、プレスキャンと本スキャンとでスキャンの速度及び方向が異なるので、位置検出センサでの位置検出がさらにずれ易い。
【０００９】
このようにプレスキャン画像と本スキャン画像とで画像位置がずれると、例えば、プレスキャン画像を表示するモニタ等の画像表示装置には表示されている画像部分が本スキャン画像を出力するプリンタ等の画像形成装置に出力されなかったり、また濃度・色・コントラスト等の画像補正量はプレジャッジ画像データに基づいて判定されるので、本スキャン画像における補正されるべき位置が違っていたりする。このため、オペレータの入力操作により、プレスキャン画像に対する本スキャン画像の画像位置調整のための調整量（オフセット）をスキャン位置補正量として設定する必要があり、それだけオペレータの作業負担が大きくなっている。
【００１０】
本発明は、前記問題に鑑みてなされたもので、画像を有する被読取物における該画像の情報を画像データとして読み取る画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理方法であって、前記プレスキャン画像と前記本スキャン画像とで画像位置を精度よく一致させることができ、これにより、前記プレスキャン画像に対する前記本スキャン画像の画像位置調整のための調整量（オフセット）をオペレータが入力操作することなくスキャン位置補正量として設定することができ、それだけオペレータによる作業負担を軽減できる画像処理方法を提供することを課題とする。
【００１１】
また本発明は、画像を有する被読取物における該画像の情報を画像データとして読み取る画像読取装置を備え、前記画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理装置であって、前記プレスキャン画像と前記本スキャン画像とで画像位置を精度よく一致させることができ、これにより、前記プレスキャン画像に対する前記本スキャン画像の画像位置調整のための調整量（オフセット）をオペレータが入力操作することなくスキャン位置補正量として設定することができ、それだけオペレータによる作業負担を軽減できる画像処理装置を提供することを課題とする。
【００１２】
さらに本発明は、前記画像処理装置と、前記プレスキャン取り込み画像を表示する画像表示装置と、前記本スキャン取り込み画像を形成する画像形成装置とを具備する写真処理装置であって、前記プレスキャン画像と前記本スキャン画像とで画像位置を精度よく一致させることができ、従って、前記画像表示装置に表示される画像範囲と前記画像形成装置に出力される画像範囲との一致精度を向上させることができ、これにより、前記プレスキャン画像に対する前記本スキャン画像の画像位置調整のための調整量（オフセット）をオペレータが入力操作することなくスキャン位置補正量として設定することができ、それだけオペレータによる作業負担を軽減できる写真処理装置を提供することを課題とする。
【課題を解決するための手段】
【００１３】
前記課題を解決するため本発明は、次の画像処理方法並びに画像処理装置及び写真処理装置を提供する。
（１）画像処理方法
画像を有する被読取物における該画像の情報を画像データとして読み取る画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理方法であって、前記被読取物として少なくとも一つの所定の特定パターン画像を含む画像を有するものを用い、当該被読取物について、前記プレスキャン及び前記本スキャンによって前記プレスキャン画像及び前記本スキャン画像をそれぞれ取り込み、当該取り込んだ前記プレスキャン画像及び前記本スキャン画像においてそれぞれ対応する前記少なくとも一つの特定パターン画像の位置を検出し、当該検出された位置情報に基づいて、前記プレスキャン画像と前記本スキャン画像との画像位置のずれ調整量を求め、当該求められた前記ずれ調整量をスキャン位置補正量として自動的に設定することを特徴とする画像処理方法。
【００１４】
（２）画像処理装置
画像を有する被読取物における該画像の情報を画像データとして読み取る画像読取装置を備え、前記画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理装置であって、少なくとも一つの所定の特定パターン画像を含む画像を有する前記被読取物について、前記プレスキャン及び前記本スキャンによって前記プレスキャン画像及び前記本スキャン画像をそれぞれ取り込む特定パターン画像取り込み手段と、前記特定パターン画像取り込み手段にて取り込んだ前記プレスキャン画像及び前記本スキャン画像においてそれぞれ対応する前記少なくとも一つの特定パターン画像の位置を検出する特定パターン画像位置検出手段と、前記特定パターン画像位置検出手段にて検出された位置情報に基づいて、前記プレスキャン画像と前記本スキャン画像との画像位置のずれ調整量を算出するずれ調整量算出手段と、前記ずれ調整量算出手段にて算出された前記ずれ調整量をスキャン位置補正量として自動的に設定するずれ調整量設定手段とを備えていることを特徴とする画像処理装置。
【００１５】
（３）写真処理装置
前記本発明に係る画像処理装置と、前記プレスキャン取り込み画像を表示する画像表示装置と、前記本スキャン取り込み画像を形成する画像形成装置とを具備することを特徴とする写真処理装置。
【００１６】
本発明に係る画像処理方法並びに画像処理装置及び写真処理装置において、前記プレスキャン画像及び前記本スキャン画像の取り込み、前記特定パターン画像の位置検出、前記ずれ調整量の算出、及び前記ずれ調整量の設定は、装置の初期設定時（例えば、装置が設置（納入）されるに先立って、或いは装置が設置（納入）される際）に１回だけなされてもよいし、当該被読取物が前記特定パターン画像を含む画像を有するときに、画像処理や写真処理等の際に、当該被読取物の画像情報を画像データとして読み取る毎になされてもよい。
【００１７】
本発明に係る画像処理方法並びに画像処理装置及び写真処理装置では、前記プレスキャン画像に対する前記本スキャン画像の画像位置調整のための調整量（オフセット）をスキャン位置補正量として設定するにあたり、前記被読取物として少なくとも一つの所定の特定パターン画像を含む画像を有するものが用いられ、当該被読取物について、前記プレスキャン及び前記本スキャンによって前記プレスキャン画像及び前記本スキャン画像がそれぞれ取り込まれ、当該取り込まれた前記プレスキャン画像及び前記本スキャン画像においてそれぞれ対応する前記少なくとも一つの特定パターン画像の位置が検出され、当該検出された位置情報に基づいて、前記プレスキャン画像と前記本スキャン画像との画像位置のずれ調整量（オフセット）が求められ、さらに、当該求められた前記ずれ調整量がスキャン位置補正量として自動的に設定される。一方、こうして自動設定された本発明に係る写真処理装置では、写真処理等を行うにあたり、前記プレスキャンにて取り込まれたプレスキャン画像が前記画像表示装置（例えばモニタ等）に表示されることで、主としてオペレータによる各種画像処理操作のための画像（プレジャッジ画像）において画像判定され、例えば、濃度・色・コントラスト等の画像補正量が設定される一方、前記本スキャンにて取り込まれた本スキャン画像が、当該設定されたスキャン位置補正量にて位置調整された状態で、当該プレスキャン画像のプレジャッジ画像データ、例えば、濃度・色・コントラスト等の画像補正量に基づいて画像処理され、前記画像形成装置（例えばプリンタ等）にて出力画像として出力される。
【００１８】
このように本発明に係る画像処理方法並びに画像処理装置及び写真処理装置によると、前記被読取物として少なくとも一つの所定の特定パターン画像を含む画像を有するものを用い、当該被読取物について、前記プレスキャン画像及び前記本スキャン取り込み画像をそれぞれ取り込み、当該取り込まれた前記プレスキャン画像及び前記本スキャン画像においてそれぞれ対応する前記少なくとも一つの特定パターン画像の位置を検出し、さらに、当該検出された位置情報に基づいて、前記プレスキャン画像と前記本スキャン画像との画像位置のずれ調整量（オフセット）を求めるので、前記プレスキャン画像と前記本スキャン画像とで画像位置を精度よく一致させることができ、また、当該求められた前記ずれ調整量をスキャン位置補正量として自動的に設定するので、前記プレスキャン画像に対する前記本スキャン画像の画像位置調整のための調整量（オフセット）をオペレータが入力操作することなくスキャン位置補正量として設定することができ、それだけオペレータによる作業負担を軽減できる。従って、本発明に係る写真処理装置では、前記画像表示装置に表示される画像範囲と前記画像形成装置に出力される画像範囲との一致精度を向上させることができる。
【００１９】
前記被読取物は、代表例として、１又は２以上のコマ画像が記録された写真フィルムを挙げることができる。この場合、本発明に係る画像処理方法並びに画像処理装置及び写真処理装置において、前記被読取物として少なくとも一つの所定の特定パターン画像を含む画像を有するものを用いるにあたり、前記写真フィルムとして前記１又は２以上のコマ画像のうち少なくとも一つに前記少なくとも一つの特定パターン画像が記録されたものを用いることができる。
【００２０】
前記特定パターン画像としては、該特定パターン画像を検出できるものであれば、いずれのパターン画像でもよく、例えば、前記特定パターン画像の検出として、従来から一般的によく利用されている人の顔画像を検出する顔検出手段を採用するという観点から、代表的には、人の顔画像を例示できる。この場合、本発明に係る画像処理方法においては、前記特定パターン画像を人の顔画像とし、前記特定パターン画像の位置検出として、前記プレスキャン画像及び前記本スキャン画像においてそれぞれ対応する前記人の顔画像の位置検出を行うことができ、本発明に係る画像処理装置及び写真処理装置においては、前記特定パターン画像を人の顔画像とし、前記特定パターン画像位置検出手段は、前記特定パターン画像取り込み手段にて取り込んだ前記プレスキャン画像及び前記本スキャン画像においてそれぞれ対応する前記人の顔画像の位置検出を行う顔検出手段を含むことができる。こうすることで、特別に作成され、提供されるチャートのような被読取物を用いることなく、例えば、客の写真フィルムであって人の顔画像が記録された写真フィルムを用いることができ、前記ずれ調整量設定のための利便性が向上する。
【００２１】
前記ずれ調整量の設定の際には、（ａ）前記ずれ調整量算出にて算出された前記少なくとも一つのずれ調整量から求められる一つのずれ調整量を前記スキャン位置補正量として自動的に設定してもよいし、（ｂ）前記ずれ調整量算出にて算出された前記少なくとも一つのずれ調整量を特定パターン画像毎に前記スキャン位置補正量として自動的に設定してもよい。
【００２２】
前記プレスキャン及び前記本スキャンとして、次の場合を例示できる。すなわち、前記プレスキャンでは、前記画像読取装置及び当該被読取物のうち少なくとも一方を相対的に移動させつつ走査するとともに該移動方向に略直交する方向に走査することで所定多数の画素データを有する低解像度の前記第１画像データから構成されるプレスキャン画像を前記画像読取装置にて取り込み、前記本スキャンでは、前記画像読取装置及び当該被読取物のうち少なくとも一方を相対的に移動させつつ走査するとともに該移動方向に略直交する方向に走査することで前記低解像度第１画像データの数より多い数の画素データを有する高解像度の前記第２画像データから構成される本スキャン画像を前記画像読取装置にて取り込む場合を例示できる。
【００２３】
この場合、前記（ａ）の具体的態様としては、前記特定パターン画像位置の検出では、前記プレスキャン画像を拡大する拡大処理及び前記本スキャン画像を縮小する縮小処理のうち少なくとも一方の処理を行うことで、前記プレスキャン画像と前記本スキャン画像とのサイズを揃え、当該サイズが揃えられた前記プレスキャン画像及び前記本スキャン画像においてそれぞれ対応する前記少なくとも一つの特定パターン画像の位置を検出し、前記ずれ調整量の算出では、前記特定パターン画像位置検出にて検出された前記プレスキャン画像及び前記本スキャン画像においてそれぞれ対応する前記少なくとも一つの特定パターン画像の位置の差を算出し、前記ずれ調整量の設定では、前記特定パターン画像が一つのときは、前記ずれ調整量算出にて算出された前記特定パターン画像の位置の差を前記スキャン位置補正量として自動的に設定し、前記特定パターン画像が２以上のときは、前記ずれ調整量算出にて算出された前記特定パターン画像の位置の差データの分布の重心位置となる平均値を前記スキャン位置補正量として自動的に設定する場合を例示できる。この場合、本発明に係る写真処理装置では、前記本スキャン画像を、当該設定された一つのスキャン位置補正量にて位置調整された状態で、当該プレスキャン画像のプレジャッジ画像データに基づいて画像処理でき、前記画像形成装置にて出力画像として出力できる。このように、一つのずれ調整量をスキャン位置補正量として設定することで、ずれ調整量補正処理を簡素化することができる。
【００２４】
また、前記（ｂ）の具体的態様としては、前記特定パターン画像位置の検出では、前記プレスキャン画像を拡大する拡大処理及び前記本スキャン画像を縮小する縮小処理のうち少なくとも一方の処理を行うことで、前記プレスキャン画像と前記本スキャン画像とのサイズを揃え、当該サイズが揃えられた前記プレスキャン画像及び前記本スキャン画像においてそれぞれ対応する前記少なくとも一つの特定パターン画像の位置を検出し、前記ずれ調整量の算出では、前記特定パターン画像位置検出にて検出された前記プレスキャン画像及び前記本スキャン画像においてそれぞれ対応する前記少なくとも一つの特定パターン画像の位置の差を算出し、前記ずれ調整量の設定では、前記ずれ調整量算出にて算出された特定パターン画像毎に、当該算出された前記特定パターン画像の位置の差をそれぞれ前記スキャン位置補正量として自動的に設定する場合を例示できる。この場合、本発明に係る写真処理装置では、前記本スキャン画像を、当該設定された特定パターン画像毎のスキャン位置補正量にて位置調整された状態で、当該プレスキャン画像のプレジャッジ画像データに基づいて画像処理でき、前記画像形成装置にて出力画像として出力できる。このように、特定パターン画像毎のずれ調整量をスキャン位置補正量として設定することで、ずれ調整精度を向上させることができる。
【００２５】
前記本スキャン時における前記本スキャン画像の取り込みタイミングは、前記プレスキャン時における前記プレスキャン画像の位置を基準に、例えば、以下のように決定することができる。すなわち、前記プレスキャン時に、前記被読取物の画像位置、例えば、写真フィルムのコマ画像間における非画像部分（いわゆる、す抜け部分）と画像部分の境界では画素データの値に差が大きいことを利用して、当該写真フィルムの前記プレスキャン画像でのコマ画像間の境界位置を検出するとともに、当該写真フィルムの先端及び／又は当該写真フィルムの相対移動方向とは直交する方向の端部において相対移動方向に沿って所定のピッチで形成されたパーフォレーションを位置検出センサにて検出し、当該画像取り込みの際に検出された当該写真フィルムの前記プレスキャン画像でのコマ画像間の境界と、当該位置検出センサにて検出された当該写真フィルムの先端及び／又はパーフォレーションとの相対位置関係を求めておき、次いで、前記本スキャン時に、前記位置検出センサにて前記プレスキャン時にも検出した先端及び／又は前記パーフォレーションを検出し、当該検出された先端及び／又はパーフォレーションの検出位置を基準として、前記プレスキャン時に求めておいた当該写真フィルムの前記プレスキャン画像でのコマ画像間の境界と先端及び／又はパーフォレーションとの相対位置関係から前記本スキャン時の前記本スキャン画像の取り込み開始位置及び終了位置を決定することができる。
【発明の効果】
【００２６】
以上説明したように本発明によると、画像を有する被読取物における該画像の情報を画像データとして読み取る画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理方法であって、前記プレスキャン画像と前記本スキャン画像とで画像位置を精度よく一致させることができ、これにより、前記プレスキャン画像に対する前記本スキャン画像の画像位置調整のための調整量（オフセット）をオペレータが入力操作することなくスキャン位置補正量として設定することができ、それだけオペレータによる作業負担を軽減できる画像処理方法を提供することができる。
【００２７】
また本発明によると、画像を有する被読取物における該画像の情報を画像データとして読み取る画像読取装置を備え、前記画像読取装置及び当該被読取物のうち少なくとも一方を相対的に移動させつつ走査することで所定の第１画像データから構成されるプレスキャン画像を前記画像読取装置にて取り込んでプレスキャンし、前記画像読取装置及び当該被読取物のうち少なくとも一方を相対的に移動させつつ走査することで所定の第２画像データから構成される本スキャン画像を前記画像読取装置にて取り込んで本スキャンし、前記プレスキャンによって取り込んだ前記プレスキャン画像の位置を基準に、前記本スキャン画像の取り込みタイミングが決定される画像処理装置であって、前記プレスキャン画像と前記本スキャン画像とで画像位置を精度よく一致させることができ、これにより、前記プレスキャン画像に対する前記本スキャン画像の画像位置調整のための調整量（オフセット）をオペレータが入力操作することなくスキャン位置補正量として設定することができ、それだけオペレータによる作業負担を軽減できる画像処理装置を提供することができる。
【００２８】
さらに本発明は、前記画像処理装置と、前記プレスキャン取り込み画像を表示する画像表示装置と、前記本スキャン取り込み画像を形成する画像形成装置とを具備する写真処理装置であって、前記プレスキャン画像と前記本スキャン画像とで画像位置を精度よく一致させることができ、従って、前記画像表示装置に表示される画像範囲と前記画像形成装置に出力される画像範囲との一致精度を向上させることができ、これにより、前記プレスキャン画像に対する前記本スキャン画像の画像位置調整のための調整量（オフセット）をオペレータが入力操作することなくスキャン位置補正量として設定することができ、それだけオペレータによる作業負担を軽減できる写真処理装置を提供することができる。
【発明を実施するための最良の形態】
【００２９】
以下、本発明に係る実施の形態について図面を参照しながら説明する。図１は本発明に係る画像処理方法を実施する画像処理装置の一例を備えた写真処理装置の一実施形態の全体概略図である。
【００３０】
図１に示す写真処理装置Ａは前記の画像処理装置１とプリンタ２（画像形成装置の一例）とで構成されている。画像処理装置１は、画像を有する被読取物Ｆにおける該画像の情報を画像データとして読み取るカラースキャナ等の画像読取装置６００と、後述する情報記録再生装置９２を具備する主制御装置９０とを備えており、画像読取装置６００に対して写真フィルムＦを移動させつつ走査することで所定多数の画素データを有する低解像度の第１画像データから構成されるプレスキャン画像を画像読取装置６００にて取り込んでプレスキャンし、画像読取装置６００に対して写真フィルムＦを移動させつつ走査することで前記低解像度第１画像データの数より多い数の画素データを有する高解像度の第２画像データから構成される本スキャン画像を画像読取装置６００にて取り込んで本スキャンし、前記プレスキャンによって取り込んだプレスキャン画像の位置を基準に、本スキャン画像の取り込みタイミングが決定される画像処理装置である。
【００３１】
画像読取装置６００は、本例では、銀塩カメラで撮影したカラーネガフィルムＦなどの画像が記録された写真フィルムＦ（被読取物の一例）を走査読み取りするとともに当該読み取った画像情報をデジタル変換してデジタル画像を取得するものである。主制御装置９０は、画像処理装置１の制御を含む写真処理装置Ａ全体を制御するものであり、制御部９１（後述する図３及び図５参照）を備えている。
【００３２】
画像処理装置１は、前記の画像読取装置６００にて読み取った画像データを表示するＣＲＴモニタ２０（画像表示装置の一例）をさらに備えている。また、プリンタ２は、感光材料に露光処理を施す露光装置６３（図１では図示せず、後述する図３及び図５参照）と、露光装置６３で露光処理された感光材料に現像処理を施す現像処理装置６１（同じく図５参照）と、現像処理装置６１で現像処理が施された感光材料を乾燥する乾燥処理部４と、乾燥処理部４で乾燥された感光材料をオーダー、及びサイズ毎に仕分けて回収する回収部５とで構成されている。
【００３３】
図２に図１に示す画像読取装置６００の要部概略斜視図を示し、図３に図１に示す写真処理装置Ａのシステム制御系の概略ブロック図を示す。
【００３４】
画像読取装置６００は、既述したように、フィルムＦを走査読み取りして画像データを取得するものであり、図２に示すように、光源部６１０、撮像部６２０及び結像部６３０並びにフィルムＦを所定のフィルム移動方向（図２中フィルム搬送方向Ｙ）に搬送するフィルム搬送部６４０を備えている。
【００３５】
この画像読取装置６００では、フィルム搬送部６４０にて写真フィルムＦをフィルム搬送方向Ｙに搬送するとともに、搬送部６４０にて搬送されたフィルムＦに光源部６１０から光Ｔを照射し、光源部６１０からフィルムＦを介して到来する透過光を結像部６３０で撮像部６２０に結像させて画像を読み取る。フィルムＦの走査は、フィルムＦが搬送方向Ｙ（副走査方向）及び該方向Ｙとは直交する主走査方向（図２中Ｘ方向）に走査されることでなされる。この走査により到来する画像光が結像部６３０により撮像部６２０に結像し、画像が読み取られる。こうして読み取られた画像データは制御部９１（図３も参照）に送られる。なお、図２及び図３では詳しく図示していないが、画像読取装置６００は、フィルムＦにおけるカラー画像の各画素を青（Ｂ）、緑（Ｇ）及び赤（Ｒ）の３原色に分解測光するという色分解を行うことで、青、緑及び赤の各色に対応する画像データを読み出すことができるように構成されている。
【００３６】
光源部６１０は、所定の光Ｔを発光する発光ダイオード（以下、ＬＥＤという）素子６１１を備えている。ＬＥＤ素子６１１は、本例では、複数のＬＥＤを主走査方向にライン状に並べたＬＥＤライン光源であり、ＬＥＤ駆動部６１２を介して制御部９１に接続されている（図２では図示を省略、図３参照）。このＬＥＤ素子６１１は、制御部９１の指示の下、主走査方向Ｘに配置された各ＬＥＤが点灯される。
【００３７】
撮像部６２０は、撮像素子６２１を備えている。この撮像素子６２１は、本例ではＣＣＤ（Charge Coupled Device：電荷結合素子）であり、ＬＥＤ素子６１１からの画像光Ｌを受光して画像情報を読み取ることができる。ＣＣＤ６２１は、ＣＣＤ駆動部６２２、ゲイン調整部６２３及びＡ／Ｄ変換装置６２４を介して制御部９１に接続されている（図２では図示を省略、図３参照）。
【００３８】
結像部６３０は、フィルムＦと撮像部６２０との間の光路上に配置され、フィルムＦからの透過光をＣＣＤ６２１に結像させる結像レンズ６３１を含んでいる。
【００３９】
フィルム搬送部６４０は、複数の搬送ローラ対６４１及び各ローラ対６４１を駆動するローラ駆動装置６４２を備えており、各ローラ対６４１におけるローラ間にフィルムＦを挟持させつつ駆動装置６４２にて各ローラ対６４１を、図中矢印方向Ｙ１に回転させることでフィルムＦを第１移動方向（フィルム搬送方向Ｙ）に搬送するとともに、図中矢印方向Ｙ１’に回転させることでフィルムＦを第２移動方向（Ｙ方向とは反対方向Ｙ’）に搬送することができる。駆動装置６４２は制御部９１に接続されている（図２では図示を省略、図３参照）。
【００４０】
写真フィルムＦは、図２に示すように、フィルム搬送方向Ｙとは直交する方向Ｘの両端部において搬送方向Ｙに沿って所定のピッチで形成されたパーフォレーションＰＦを有している。この写真フィルムＦは、ここでは、特別に作成され、提供されるチャートのようなものではなく、客の写真フィルムであって１又は２以上のコマ画像のうち少なくとも一つに少なくとも一つの人の顔画像を含む画像が記録された写真フィルムである。
【００４１】
画像読取装置６００はさらに、写真フィルムＦのパーフォレーションＰＦを検出するパーフォレーション検出部６５０を備えている。パーフォレーション検出部６５０は、制御部９１に接続されている（図２では図示を省略、図３参照）。この検出部６５０は、ここでは、光を出射する発光素子６５１と、発光素子６５１からの光を受光する受光素子６５２とからなるフォトセンサであり、発光素子６５１と受光素子６５２との間に写真フィルムＦが配置されるように、且つ、パーフォレーションＰＦを検出できるように設けられている。これにより、パーフォレーションＰＦの検出信号を制御部９１に送信することができる。
【００４２】
図３に示すように、制御部９１は、前記の画像読取装置６００、モニタ２０、露光装置６３及び情報記録再生装置９２に接続されており、処理手段９４及び当該処理手段９４を実行するための処理プログラム等が記憶される記憶手段９３を備えている。露光装置６３は、処理手段９４から送られてくる画像情報に基づいて写真感光材料に露光することができる（図５も参照）。前記の情報記録再生装置９２は、保存用メディア等の記録媒体Ｍに情報を記録することができるものである。
【００４３】
画像読取装置６００では、既述のとおり、ＬＥＤ素子６１１がＬＥＤ駆動部６１２を介して、ＣＣＤ６２１がＣＣＤ駆動部６２２、ゲイン調整部６２３及びＡ／Ｄ変換装置６２４を介して制御部９１に接続されているとともにローラ駆動装置９４２が接続されている。
【００４４】
ＬＥＤ駆動部６１２及びＣＣＤ駆動部６２２は、それぞれ制御部９１の指示の下、ＬＥＤ素子６１１及びＣＣＤ６２１を駆動することができる。Ａ／Ｄ変換装置６２４は、ゲイン調整部６２３から送られてきたアナログ信号をデジタル信号に変換することができる。また、ローラ駆動装置９４２は、制御部９１の指示の下、各ローラ対６４１の回転を制御することができ、ひいては写真フィルムＦの移動速度を制御することができる。
【００４５】
記憶手段９３は、ＲＡＭ等で構成されていて、プログラムメモリ領域（図示省略）を有し、このプログラムメモリ領域において、前記の処理プログラムを読込むことができる。
【００４６】
制御部９１では、記憶手段９３の前記プログラムメモリ領域に記憶された前記処理プログラムが実行される。この処理プログラムは、制御部９１を、プレスキャン手段Ｐ１と、本スキャン手段Ｐ２と、特定パターン画像取り込み手段Ｐ３と、特定パターン画像位置検出手段Ｐ４と、ずれ調整量算出手段Ｐ５と、ずれ調整量設定手段Ｐ６とを含む処理手段９４として機能させるものである。
【００４７】
プレスキャン手段Ｐ１では、ローラ駆動装置６４２による各ローラ対６４１のＹ１方向の回転にて画像読取装置６００に対して写真フィルムＦを所定の位置から所定の第１移動速度でフィルム搬送方向Ｙに移動させつつ走査するとともに該方向Ｙに略直交する方向Ｘに走査することで前記低解像度第１画像データから構成される前記プレスキャン画像を画像読取装置６００にて取り込んでプレスキャンする。
【００４８】
本スキャン手段Ｐ２では、プレスキャン手段Ｐ１にてプレスキャンした後、ローラ駆動装置６４２による各ローラ対６４１のＹ１’方向の回転にて、画像読取装置６００に対して写真フィルムＦをフィルム搬送方向Ｙとは逆方向Ｙ’に移動させて、写真フィルムＦを元の所定位置に戻し、当該元の所定位置から、駆動装置６４２による各ローラ対６４１のＹ１方向の回転にて画像読取装置６００に対して写真フィルムＦを前記第１移動速度より遅い所定の第２移動速度でフィルム搬送方向Ｙに移動させつつ走査するとともにフィルム搬送方向Ｙに略直交する方向Ｘに走査することで前記高解像度第２画像データから構成される前記本スキャン画像を画像読取装置６００にて取り込んで本スキャンする。なお、かかる走査に限定されるものではなく、例えば、プレスキャン手段Ｐ１にてプレスキャンした後、駆動装置６４２による各ローラ対６４１のＹ１’方向の回転にて、フィルム搬送方向Ｙとは逆方向Ｙ’に前記第２移動速度で移動させつつ走査するとともにフィルム搬送方向Ｙに略直交する方向Ｘに走査することで前記本スキャン画像を画像読取装置６００にて取り込んで本スキャンを行ってもよい。
【００４９】
特定パターン画像取り込み手段Ｐ３では、前記少なくとも一つの顔画像を含む画像が記録された写真フィルムＦについて、プレスキャン手段Ｐ１及び本スキャン手段Ｐ２によって前記プレスキャン画像及び前記本スキャン画像をそれぞれ取り込む。
【００５０】
特定パターン画像位置検出手段Ｐ４では、特定パターン画像取り込み手段Ｐ３にて取り込んだ前記プレスキャン画像及び前記本スキャン画像においてそれぞれ対応する前記少なくとも一つの顔画像の位置検出を行う。さらに説明すると、手段Ｐ４では、前記プレスキャン画像を拡大する拡大処理及び前記本スキャン画像を縮小する縮小処理のうち少なくとも一方の処理を行うことで、前記プレスキャン画像と前記本スキャン画像とのサイズを揃え、当該サイズが揃えられた前記プレスキャン画像及び前記本スキャン画像においてそれぞれ対応する前記少なくとも一つの顔画像の位置を検出する。なお、この手段Ｐ４は、従来から一般的によく利用されている公知の顔検出手段を含んでいる。かかる顔検出手段については、ここでは詳しい説明を省略する。
【００５１】
ずれ調整量算出手段Ｐ５では、特定パターン画像位置検出手段Ｐ４にて検出された位置情報に基づいて、前記プレスキャン画像と前記本スキャン画像との画像位置のずれ調整量を算出する。さらに説明すると、手段Ｐ５では、手段Ｐ４にて検出された前記プレスキャン画像及び前記本スキャン画像においてそれぞれ対応する前記少なくとも一つの顔画像の位置の差を算出する。
【００５２】
ずれ調整量設定手段Ｐ６では、ずれ調整量算出手段Ｐ５にて算出された前記少なくとも一つのずれ調整量から求められる一つのずれ調整量をスキャン位置補正量として自動的に設定する。さらに説明すると、手段Ｐ６では、前記顔画像が一つのときは、手段Ｐ５にて算出された前記顔画像の位置の差を前記スキャン位置補正量として自動的に設定し、前記顔画像が２以上のときは、手段Ｐ５にて算出された前記顔画像の位置の差データの分布の重心位置となる平均値を前記スキャン位置補正量として自動的に設定する。
【００５３】
なお、前記の手段Ｐ３からＰ６では、カラー画像の場合、例えば、３原色の画像データのうち、各色の画像データについて処理することができる。また、３原色の画像データのうち少なくとも一つの画像データについて処理してもよい。
【００５４】
この写真処理装置Ａでは、既述したように、前記プレスキャンによって取り込んだプレスキャン画像の位置を基準に、本スキャン画像の取り込みタイミングが決定されるのであるが、前記プレスキャン画像に対する前記本スキャン画像の画像位置調整のための調整量（オフセット）の設定は、写真処理装置Ａの初期設定時（例えば、装置Ａが設置（納入）されるに先立って、或いは装置Ａが設置（納入）される際）に１回だけなされてもよい。また、写真フィルムＦが人の顔画像を含む画像を有するときに、写真処理の際に、当該写真フィルムの画像情報を画像データとして読み取る毎になされてもよい。この動作について図４を参照しながらさらに説明する。図４は前記処理手段９４による処理フローの一例の一部を示すフローチャートである。
【００５５】
先ず、図４に示すように、特定パターン画像取り込み手段Ｐ３にて、前記少なくとも一つの顔画像を含む画像が記録された写真フィルムＦについて、プレスキャン手段Ｐ１によって前記プレスキャン画像がそれぞれ取り込まれて前記プレスキャン画像（プレジャッジ画像）が入力され（ステップＳ１）、写真フィルムＦのコマ画像間における非画像部分（す抜け部分）と画像部分の境界では画素データの値に差が大きいことを利用して、当該フィルムＦの前記プレスキャン画像でのコマ画像間の境界位置が検出されてコマ画像が切り出される（ステップＳ２）。
【００５６】
次いで、特定パターン画像位置検出手段Ｐ４にて、前記プレスキャン画像（プレジャッジ画像）で顔画像が従来公知の前記顔検出手段にて検出されるとともに顔画像の位置が検出され（ステップＳ３）、当該検出された第１の顔検出位置が記憶手段９３に保存される（ステップＳ４）。このステップＳ３及びＳ４の動作はフィルムＦの全コマについて行われ、全コマが終了すると、次のステップＳ６に移行する（ステップＳ５）。
【００５７】
特定パターン画像取り込み手段Ｐ３にて、前記少なくとも一つの顔画像を含む画像が記録された写真フィルムＦについて、本スキャン手段Ｐ２によって顔検出コマの前記本スキャン画像がそれぞれ取り込まれて前記本スキャン画像が入力され（ステップＳ６）、特定パターン画像位置検出手段Ｐ４にて、前記本スキャン画像を縮小する縮小処理を行うことで、当該縮小された前記本スキャン画像と前記プレスキャン画像とのサイズが揃えられ（ステップＳ７）、当該縮小された本スキャン画像において顔画像が従来公知の前記顔検出手段にて検出されるとともに顔画像の位置が検出され（ステップＳ８）、さらに当該検出された第２の顔検出位置が記憶手段９３に保存される（ステップＳ９）。このステップＳ６からＳ８の動作はフィルムＦの全ての顔検出コマについて行われ、全ての顔検出コマが終了すると、次のステップＳ１１に移行する（ステップＳ１０）。
【００５８】
そして、記憶手段９３から手段４で保存しておいた前記第１及び第２顔検出位置が読み出され、ずれ調整量算出手段Ｐ５にて、当該読み出された前記第１及び第２顔検出位置の位置情報に基づいて、手段Ｐ４にて検出された前記プレスキャン画像及び前記本スキャン画像においてそれぞれ対応する顔画像の位置の差が算出され、ずれ調整量設定手段Ｐ６にて、前記顔画像が一つのときは、手段Ｐ５にて算出された前記顔画像の位置の差が前記スキャン位置補正量として自動的に設定され、前記顔画像が２以上のときは、手段Ｐ５にて算出された前記顔画像の位置の差データの分布の重心位置となる平均値が前記スキャン位置補正量として自動的に設定される（ステップＳ１１）。
【００５９】
次に、図１に示す写真処理装置Ａの処理工程について図５を参照しながら説明する。図５に図１に示す写真処理装置Ａの処理工程を説明するための図を示す。簡単に工程の流れを追いつつ主要構成を以下に説明する。プリンタ２は、前記した露光装置６３、現像処理装置６１、乾燥処理部４及び回収部５の他、搬送装置４３等を具備している。
【００６０】
画像処理装置１において、画像読取装置６００がフィルムＦの画像情報を走査読み取りする。このとき、前記プレスキャン時に、写真フィルムＦのコマ画像間における非画像部分（す抜け部分）と画像部分の境界では画素データの値に差が大きいことを利用して、当該フィルムＦの前記プレスキャン画像でのコマ画像間の境界位置をＣＣＤ６２１で検出するとともに、当該フィルムＦの先端及び／又は当該フィルムＦのパーフォレーションＰＦを位置検出センサ６５０にて検出し、当該画像取り込みの際にＣＣＤ６２１で検出された当該フィルムＦの前記プレスキャン画像でのコマ画像間の境界と、当該位置検出センサ６５０にて検出された当該フィルムＦの先端及び／又はパーフォレーションＰＦとの相対位置関係を求めておき、次いで、前記本スキャン時に、位置検出センサ６５０にて前記プレスキャン時にも検出した先端及び／又はパーフォレーションＰＦを検出し、当該検出された先端及び／又はパーフォレーションＰＦの検出位置を基準として、前記プレスキャン時に求めておいた当該フィルムＦの前記プレスキャン画像でのコマ画像間の境界と先端及び／又はパーフォレーションＰＦとの相対位置関係から前記本スキャン時の前記本スキャン画像の取り込み開始位置及び終了位置を決定する。制御部９１では、処理手段９４にて画像処理されたデジタル画像が露光データとして露光装置６３に入力される。プリンタ２において、感光材料４０がマガジン４２から引き出され、搬送装置４３におけるローラ等によって搬送される。感光材料は、例えば、定寸に切断され、露光装置部４１において、露光装置６３によって、感光材料４０が露光される。
【００６１】
現像処理装置６１では、感光材料４０に対して、現像、定着、水洗等の種々の化学的処理（薬液Ｓ等）が行われ、さらに乾燥処理部４では、乾燥処理が行われ、かかる一連の工程が自動的になされる。そして搬送装置４３は、これらの工程において感光材料４０を搬送する。回収部５では、図１に示すように、大判の感光材料４０はトレー５２に回収され、小判の感光材料４０は仕分部５４にてオーダー毎に仕分けられ、回収される。仕分部５４は、小判感光材料の排出方向に対して直交方向に移動するコンベア５５と、該コンベア５５によって運ばれてくる小判感光材料をオーダー毎に仕分ける仕分装置５６とで構成されている。仕分装置５６は、上下方向に移動可能に配設された複数の受け皿５７を備えており、該受け皿５７が上下方向に移動することで、コンベア５５によって搬送されてくる小判感光材料を各受け皿５７へオーダー毎に振り分けるように構成されている。以上のような写真処理装置Ａ全体としての処理は主制御装置９０によって制御される。
【００６２】
以上説明した画像処理装置１を備えた写真処理装置Ａでは、前記プレスキャン画像に対する前記本スキャン画像の画像位置調整のための調整量（オフセット）をスキャン位置補正量として設定するにあたり、写真フィルムＦとして少なくとも一つの人の顔画像を含む画像を有するものが用いられ、当該フィルムＦについて、前記プレスキャン及び前記本スキャンによって前記プレスキャン画像及び前記本スキャン画像がそれぞれ取り込まれ、当該取り込まれた前記プレスキャン画像及び前記本スキャン画像においてそれぞれ対応する前記少なくとも一つの顔画像の位置が検出され、当該検出された位置情報に基づいて、前記プレスキャン画像と前記本スキャン画像との画像位置のずれ調整量（オフセット）が求められ、さらに、当該求められた前記ずれ調整量がスキャン位置補正量として自動的に設定される。一方、こうして自動設定された写真処理装置Ａでは、写真処理を行うにあたり、プレスキャン手段Ｐ１にて取り込まれたプレスキャン画像がモニタ２０に表示されることで、主としてオペレータによる各種画像処理操作のための画像（プレジャッジ画像）において画像判定され、例えば、濃度・色・コントラスト等の画像補正量が設定される一方、本スキャン手段Ｐ２にて取り込まれた本スキャン画像が、当該設定されたスキャン位置補正量にて位置調整された状態で、当該プレスキャン画像のプレジャッジ画像データ、例えば、濃度・色・コントラスト等の画像補正量に基づいて画像処理され、プリンタ２にてプリント画像としてプリントされる。なお、当該画像処理された画像データは、情報記録再生装置９２にて記録媒体Ｍに保存されてもよい。
【００６３】
このように画像処理装置１を備えた写真処理装置Ａによると、写真フィルムＦとして少なくとも一つの人の顔画像を含む画像を有するものを用い、当該フィルムＦについて、前記プレスキャン画像及び前記本スキャン取り込み画像をそれぞれ取り込み、当該取り込まれた前記プレスキャン画像及び前記本スキャン画像においてそれぞれ対応する前記少なくとも一つの顔画像の位置を検出し、さらに、当該検出された位置情報に基づいて、前記プレスキャン画像と前記本スキャン画像との画像位置のずれ調整量（オフセット）を求めるので、前記プレスキャン画像と前記本スキャン画像とで画像位置を精度よく一致させることができ、また、当該求められた前記ずれ調整量をスキャン位置補正量として自動的に設定するので、前記プレスキャン画像に対する前記本スキャン画像の画像位置調整のための調整量（オフセット）をオペレータが入力操作することなくスキャン位置補正量として設定することができ、それだけオペレータによる作業負担を軽減できる。従って、写真処理装置Ａでは、モニタ２０に表示される画像範囲とプリンタ２にプリントされる画像範囲との一致精度を向上させることができる。なお、本例では、プレスキャン後、画像読取装置６００に対して写真フィルムＦをフィルム搬送方向Ｙとは逆方向Ｙ’に移動させて、写真フィルムＦを元の所定位置に戻し、当該元の所定位置からフィルム搬送方向Ｙに移動させつつ本スキャンを行うが、例えば、プレスキャン後、画像読取装置６００に対して写真フィルムＦをフィルム搬送方向Ｙとは逆方向Ｙ’に移動させつつ本スキャンを行う場合には、位置検出センサ６５０によるプレスキャンと本スキャンとでスキャンの速度及び方向が異なった状態で位置検出がなされるものの、この場合においても、前記プレスキャン画像と前記本スキャン画像とで画像位置を精度よく一致させることができるので、好ましい。
【００６４】
また、前記特定パターン画像を人の顔画像とし、特定パターン画像位置検出手段Ｐ４における前記顔検出手段にて、手段Ｐ３にて取り込んだ前記プレスキャン画像及び前記本スキャン画像においてそれぞれ対応する人の顔画像の位置検出を行うので、特別に作成され、提供されるチャートのようなものを用いることなく、本例のように、客の写真フィルムであって人の顔画像が記録された写真フィルムＦを用いることができ、前記ずれ調整量設定のための利便性が向上する。
【００６５】
さらに、ずれ調整量設定手段Ｐ６では、手段Ｐ５にて算出された顔画像の位置の差データの分布の重心位置となる平均値を前記スキャン位置補正量として自動的に設定するので、写真処理装置Ａにおいて、前記本スキャン画像を、当該設定された一つのスキャン位置補正量にて位置調整された状態で、当該プレスキャン画像のプレジャッジ画像データに基づいて画像処理でき、プリンタ４２にてプリント画像としてプリント出力できる。こうすることで、ずれ調整量補正処理を簡素化することができる。なお、ずれ調整量設定手段Ｐ６において、手段Ｐ５にて算出された顔画像毎に、当該算出された顔画像の位置の差をそれぞれ前記スキャン位置補正量として自動的に設定してもよい。この場合、写真処理装置Ａでは、前記本スキャン画像を、当該設定された顔画像毎のスキャン位置補正量にて位置調整された状態で、当該プレスキャン画像のプレジャッジ画像データに基づいて画像処理でき、プリンタ２にてプリント画像としてプリント出力できる。こうすることで、ずれ調整精度を向上させることができる。
【図面の簡単な説明】
【００６６】
【図１】本発明に係る画像処理方法を実施する画像処理装置の一例を備えた写真処理装置の一実施形態の全体概略図である。
【図２】図１に示す画像読取装置の要部概略斜視図である。
【図３】図１に示す写真処理装置のシステム制御系の概略ブロック図である。
【図４】処理手段による処理フローの一例の一部を示すフローチャートである。
【図５】図１に示す写真処理装置の処理工程を説明するための図である。
【図６】プレスキャン及び本スキャンを行う際のプレスキャンによって読み取った画像と本スキャンによって読み取った画像とのずれを説明するための図である。
【符号の説明】
【００６７】
１…画像処理装置  ２…画像形成装置  ２０…画像表示装置  ６００…画像読取装置
Ｆ…写真フィルム  Ｐ３…特定パターン画像取り込み手段
Ｐ４…特定パターン画像位置検出手段  Ｐ５…ずれ調整量算出手段
Ｐ６…ずれ調整量設定手段
【図１】
2005217605.tif 000003
【図２】
2005217605.tif 000004
【図３】
2005217605.tif 000005
【図４】
2005217605.tif 000006
【図５】
2005217605.tif 000007
【図６】
2005217605.tif 000008